(57)【要約】    【課題】  乗員が快適に感じるように送風できる車両用空調装置および車両用空調制御方法を提供する。    【解決手段】  オートエアコンアンプ３０では、ＩＲカメラ３１が撮像した熱画像のデータに基づいて、乗員の乗車を検出する。乗員が乗車したことを検出すると、ＩＲカメラ３１で撮像した熱画像のデータから乗員の顔面温度ＴＦ−ｍｓｒを検出して、車室内の温度設定値（目標室温）ＴＲ−ｔｇｔに基づいて算出される目標表面温度ＴＦ−ｔｇｔと比較し、その差の絶対値｜ΔＴＦ｜が所定値Ｔｈを超えていれば、送風風量を増やして運転席乗員４０に向けて送風する風量優先モードとする。風量優先モードが長時間継続すると乗員に不快感を与えてしまうので、風量優先モードで所定時間ｔ２だけ継続して送風した後は、送風風量を下げるとともに空調空気の温度制御を精度よく行って送風する風温優先モードに切り替える。【選択図】      図３
2006137364.tif 000002
【特許請求の範囲】
【請求項１】
車室内または車室外の空気を冷却および／または加熱して車室内に空調空気として送風する車両用空調装置において、
車室内の乗員を検出する乗員検出手段と、
前記乗員検出手段で乗員が乗車したことを検出すると、送風量を増やした風量優先モードを選択し、前記風量優先モードを選択した後、所定時間が経過した後に、空調空気の温度を優先して制御する風温優先モードを選択して、車室内に送風される空調空気の風量、風向または温度の少なくともいずれか一つを制御する制御手段とを備えることを特徴とする車両用空調装置。    
【請求項２】
請求項１に記載の車両用空調装置において、
乗員の表面温度を測定する乗員表面温度測定手段と、
目標とする車室内の温度を設定する温度設定手段と、
前記温度設定手段で設定された車室内の設定温度と、前記乗員表面温度測定手段で測定された乗員の表面温度とに基づいて、乗員の表面温度の目標値を算出する目標温度算出手段とをさらに備え、
前記制御手段は、前記乗員表面温度測定手段で測定した乗員の表面温度が前記目標温度算出手段で算出された乗員の表面温度の目標値と一致するように、車室内に送風される空調空気の風量、風向または温度の少なくともいずれか一つを制御することを特徴とする車両用空調装置。
【請求項３】
請求項２に記載の車両用空調装置において、
車室内の熱画像を撮像する熱画像撮像手段をさらに備え、
前記乗員検出手段は、前記熱画像撮像手段が撮像した前記熱画像に基づいて車室内の乗員の有無を検出し、
前記乗員表面温度測定手段は、前記熱画像撮像手段が撮像した前記熱画像に基づいて、前記乗員検出手段が検出した乗員の表面温度を測定することを特徴とする車両用空調装置。
【請求項４】
請求項２または請求項３に記載の車両用空調装置において、
前記目標温度算出手段で算出された乗員の表面温度の目標値と、前記乗員表面温度測定手段で測定された乗員の表面温度とに基づいて、乗員が熱的に快適であると感じる熱的定常状態であるか否かを判定する乗員状態判定手段をさらに備え、
前記制御手段は、前記乗員状態判定手段によって乗員が前記熱的定常状態であると判定されると、前記風量優先モードを選択した後、前記所定時間が経過する前であっても前記風温優先モードを選択して、車室内に送風される空調空気の風量、風向または温度の少なくともいずれか一つを制御することを特徴とする車両用空調装置。
【請求項５】
請求項４に記載の車両用空調装置において、
前記乗員状態判定手段は、前記目標温度算出手段で算出された乗員の表面温度の目標値と、前記乗員表面温度測定手段で測定された乗員の表面温度との差が所定値以下の場合、または、前記乗員表面温度測定手段で測定された乗員の表面温度の変化率が所定値以下の場合、前記乗員が前記熱的定常状態であると判定することを特徴とする車両用空調装置。
【請求項６】
請求項１〜５のいずれか一項に記載の車両用空調装置において、
乗員乗降用のドアの開閉を検出するドア開閉検出手段をさらに備え、
前記制御手段は、前記乗員検出手段が検出した車室内の乗員の有無に変化があった場合でも、前記ドアの開閉が前記ドア開閉検出手段で検出されないときには、一定時間の間は車室内の乗員の有無の変化がないものとして車室内に送風される空調空気の風量、風向または温度の少なくともいずれか一つを制御することを特徴とする車両用空調装置。
【請求項７】
請求項１〜６のいずれか一項に記載の車両用空調装置において、
前記制御手段は、少なくとも運転席に着座した乗員および助手席に着座した乗員に対して送風される空調空気について、それぞれ独立して前記風量優先モードおよび前記風温優先モードを選択して空調空気の風量、風向または温度の少なくともいずれか一つを制御することを特徴とする車両用空調装置。
【請求項８】
車室内または車室外の空気を冷却および／または加熱して車室内に空調空気として送風する際に、乗員が乗車したことを検出すると、送風量を増やした風量優先モードを選択し、
前記風量優先モードを選択した後、所定時間が経過した後に、空調空気の温度を優先して制御する風温優先モードを選択して、空調空気の風量、風向または温度の少なくともいずれか一つを制御することを特徴とする車両用空調制御方法。
【請求項９】
請求項８に記載の車両用空調制御方法において、
乗員の表面温度を測定し、
設定された車室内の目標温度と、測定した前記乗員の表面温度とに基づいて乗員の表面温度の目標値を算出し、
算出した前記乗員の表面温度の目標値と、測定した前記乗員の表面温度とに基づいて、乗員が熱的に快適であると感じる熱的定常状態であるか否かを判定し、
乗員が前記熱的定常状態であると判定されると、前記風量優先モードを選択した後、前記所定時間が経過する前であっても前記風温優先モードを選択して、車室内に送風される空調空気の風量、風向または温度の少なくともいずれか一つを制御することを特徴とする車両用空調制御方法。
【請求項１０】
請求項８または請求項９に記載の車両用空調制御方法において、
乗員乗降用のドアの開閉を検出し、
車室内の乗員の有無の変化が検出された場合でも、前記ドアの開閉が検出されないときには、一定時間の間は車室内の乗員の有無の変化がないものとして車室内に送風される空調空気の風量、風向または温度の少なくともいずれか一つを制御することを特徴とする車両用空調制御方法。
【発明の詳細な説明】
【技術分野】
【０００１】
本発明は、乗員が快適に感じるように送風できる車両用空調技術に関する。
【背景技術】
【０００２】
乗車直後の温感を低減させるために、乗員に向けて空調空気を送風する車両用空調装置が知られている。この車両用空調装置では、車両のイグニッションスイッチがＯＮになってから所定時間が経過するまで、あるいは、車室内温度が所定の温度だけ下がるまで、運転席側および助手席側に向かって送風する空調空気の吹き出し口を運転席側および助手席側の乗員に向けて送風する（特許文献１参照）。
【０００３】
【特許文献１】特開２００２−４６４４６号公報
【発明の開示】
【発明が解決しようとする課題】
【０００４】
しかし、この車両用空調装置では、エンジンがすでにかかっている車両に乗員が乗車した場合には、乗車した乗員に向けて空調空気を送風するように制御されないので、エンジンがすでにかかっている車両に乗車した乗員の温感を低減させることができない。
【課題を解決するための手段】
【０００５】
（１）  請求項１の発明による車両用空調装置は、車室内または車室外の空気を冷却および／または加熱して車室内に空調空気として送風する車両用空調装置において、車室内の乗員を検出する乗員検出手段と、乗員検出手段で乗員が乗車したことを検出すると、送風量を増やした風量優先モードを選択し、風量優先モードを選択した後、所定時間が経過した後に、空調空気の温度を優先して制御する風温優先モードを選択して、車室内に送風される空調空気の風量、風向または温度の少なくともいずれか一つを制御する制御手段とを備えることを特徴とする。    
（２）  請求項８の発明による車両用空調制御方法は、車室内または車室外の空気を冷却および／または加熱して車室内に空調空気として送風する際に、乗員が乗車したことを検出すると、送風量を増やした風量優先モードを選択し、風量優先モードを選択した後、所定時間が経過した後に、空調空気の温度を優先して制御する風温優先モードを選択して、空調空気の風量、風向または温度の少なくともいずれか一つを制御することを特徴とする。
【発明の効果】
【０００６】
本発明によれば、車室内に空調空気を送風する際に、乗員が乗車したことを検出すると、送風量を増やした風量優先モードを選択し、風量優先モードを選択した後、所定時間が経過した後に、空調空気の温度を優先して制御する風温優先モードを選択して、空調空気の風量、風向または温度の少なくともいずれか一つを制御するように構成した。これにより、エンジンの始動時期にかかわらず、乗車した乗員の温冷感を低減して、乗員に快適感を与えることができる。
【発明を実施するための最良の形態】
【０００７】
−−−第１の実施の形態−−−
図１〜７を参照して、本発明による車両用空調装置の第１の実施の形態を説明する。図１は、本実施の形態の車両用空調装置を搭載した右ハンドル車を車両斜め後方から見た斜視図であり、図２は、空調ユニット１００の全体構成を示す図である。車両用空調装置ＡＣは、車両Ｖのインストルメントパネル２００の内側に設けた空調ユニット１００を備えている。インストルメントパネル２００には、乗員が車両用空調装置ＡＣのＯＮ、ＯＦＦや車室内温度の設定などの操作を行うための空調操作部１と、後述する空調制御に必要なＩＲカメラ３１と、日射センサ３２と、室温センサ３４ａ，３４ｂとが設けられている。車両用空調装置ＡＣでは、空調操作部１の温度設定器３５によって運転席側と助手席側とで異なる温度設定が可能である。また、室温センサ３４ａは運転席側の車室内温度を測定し、室温センサ３４ｂは助手席側の車室内温度を測定する。
【０００８】
インストルメントパネル２００には、前席乗員に対して直接送風することができる運転席窓側の吹き出し口である運転席側サイドベント口１１０と、運転席側中央の吹き出し口である運転席側センターベント口１２０と、助手席側中央の吹き出し口である助手席側センターベント口１３０と、助手席窓側の吹き出し口である助手席側サイドベント口１４０とが設けられている。インストルメントパネル２００上面にはフロントガラスに沿って送風するためのデフ口２０が設けられている。インストルメントパネル２００の下部には、乗員の足下付近に調和空気を送風するための運転席側のフット口２３ａと、助手席側のフット口２３ｂとが設けられている。なお、説明の便宜上、本実施の形態では、図１に示すように車両左右方向、車両前後方向、車両上下方向を規定する。
【０００９】
空調ユニット１００は、空調空気の流路となるケース１０の内部に、ファン１１を駆動するブロアモータ１２と、ファン１１により送風された空気を除湿、冷却するエバポレータ１３とを備えている。ケース１０は、仕切板９によってエバポレータ１３の下流側で、運転席側へ空調空気を送風するための流路１４ａと、助手席側へ空調空気を送風するための流路１４ｂとに分割されている。後述するように、運転席側と助手席側とで、異なる空調制御を可能とするため、各流路１４ａ，１４ｂには、それぞれエバポレータ１３で除湿、冷却された送風空気を再加熱するヒータコア１５ａ，１５ｂと、ヒータコア１５ａ，１５ｂへの配風比を調節するエアミックスドア１６ａ，１６ｂとが設けられている。
【００１０】
ケース１０のインテーク部５には内外気切換ドア６が設けられている。この内外気切換ドア６により、内気導入口７からの吸気もしくは外気導入口８からの吸気の切替が行われる。電圧で制御されるブロアモータ１２により駆動されるファン１１で加圧、送風された送風空気は、エバポレータ１３を通過して除湿、冷却される。エバポレータ１３を通過した空気は、エアミックスドア１６ａ，１６ｂにより決定される配風比でヒータコア１５ａ，１５ｂを通過する空気と、ヒータコア１５ａ，１５ｂを通過しない空気とに分配される。エアミックスドア１６ａ，１６ｂで分配されてヒータコア１５ａ，１５ｂを通過した空気と、ヒータコア１５ａ，１５ｂを通過しなかった空気とは、ヒータコア１５ａ，１５ｂの下流で再び合流し、車室内に供給される。
【００１１】
空調ユニット１００は、空調風を車室内へ配風するために、各ベント口１１０〜１４０に接続されるベントダクト１９ａ，１９ｂと、ベントダクト１９ａ，１９ｂを開閉するベントドア１８ａ，１８ｂと、フット口２３ａ，２３ｂに接続されるフットダクト２５ａ，２５ｂと、フットダクト２５ａ，２５ｂを開閉するフットドア２４ａ，２４ｂとを備えている。各流路１４ａ，１４ｂは、下流で再び合流している。この合流部分には、デフ口２０に接続されるデフダクト２２と、デフダクト２２を開閉するデフドア２１とが設けられている。
【００１２】
各ベント口１１０〜１４０には、車室内に送風される空調空気の送風方向を調節するためのルーバ１１１，１２１，１３１，１４１が設けられている。図示はしないが、各ルーバ１１１，１２１，１３１，１４１は、縦方向の送風方向を調節するルーバ機構と、横方向の送風方向を調節するルーバ機構とを備えており、各ベント口１１０〜１４０から吹き出される空調空気の流れを上下左右方向に偏向させる。
【００１３】
図３に示すように、この車両用空調装置ＡＣは、オートエアコンアンプ３０を備え、車両用空調装置ＡＣの熱負荷を検出するための日射センサ３２、外気温センサ３３、および室温センサ３４ａ，３４ｂからの検出信号がオートエアコンアンプ３０に入力される。また、オートエアコンアンプ３０には、ＩＲカメラ３１で撮像された熱画像のデータと、温度設定器３５からの信号と、車両Ｖのドアの開閉を検出するドアスイッチ３６ａ，３６ｂからの検出信号が入力される。室温センサ３４ａは車室内の運転席側の温度を検出し，室温センサ３４ｂは車室内の助手席側の温度を検出する。ドアスイッチ３６ａは、運転席の右側のドアの開閉を検出し、ドアスイッチ３６ｂは、助手席の左側のドアの開閉を検出する。なお、温度設定器３５からの信号には、運転席側と助手席側の２箇所の温度設定の信号が含まれている。オートエアコンアンプ３０は、運転席側および助手席側の車室内温度が空調操作部１の温度設定器３５で設定された設定温度になるよう各センサ３２〜３３，３４ａ，３４ｂからの情報を基に空調運転条件の演算を行う。また、後述するように、オートエアコンアンプ３０は、ＩＲカメラ３１で撮像した熱画像のデータに基づいて、新たに乗車した乗員の表面温度を測定して、この乗員が快適と感じることができるように空調運転条件の演算を行う。
【００１４】
演算された空調運転条件に基づいて、オートエアコンアンプ３０は、所定の風量となるようブロアモータ１２の電圧ＶＦを制御するとともに、エアミックスドア１６ａ，１６ｂの開度ＸＭａ，ＸＭｂおよび各ドア１８ａ，１８ｂ，２１，２４ａ，２４ｂの開度、各ルーバ１１１，１２１，１３１，１４１の駆動位置を、それぞれ運転席側と助手席側とで別々に制御する。また、オートエアコンアンプ３０の演算による制御とは別に、乗員による空調操作部１の操作に基づいて各ドア１８ａ，１８ｂ，２１，２４ａ，２４ｂの開閉や、吹き出し口のモード設定、各ルーバ１１１，１２１，１３１，１４１の駆動制御も可能である。
【００１５】
エアミックスドア１６ａ，１６ｂの開度ＸＭａ，ＸＭｂおよび、ブロアモータ１２の電圧ＶＦは、次の式で表される。
ＸＭａ＝ｆ1（Ｔw，Ｔam，Ｔａin，Ｔs，Ｔａptc，Ｑ，αａ）    ・・・（１）
ＸＭｂ＝ｆ1（Ｔw，Ｔam，Ｔｂin，Ｔs，Ｔｂptc，Ｑ，αｂ）    ・・・（２）
ＶＦ＝ｆ2（ＸＭ，β）    ・・・（３）
ここで、Ｔwはエンジン出口水温、Ｔamは外気温度、ＴａinおよびＴｂinはそれぞれ運転席側および助手席側の車室内温度、Ｔsはファン吸い込み空気温度、ＴａptcおよびＴｂptcはそれぞれ運転席側および助手席側の車両内設定温度、Ｑは日射量であり、これらは、車両用空調装置ＡＣの熱負荷に関するパラメータである。αａ，αｂ，βは、新たに乗車した乗員が快適と感じることができるように空調運転条件を演算するための係数であり、後述する条件によって値が変化する。
【００１６】
上記構成の車両用空調装置ＡＣは、オートエアコンアンプ３０によりブロアモータ１２の電圧（回転数）と、エアミックスドア１６ａ，１６ｂの開度と、各ドア１８ａ，１８ｂ，２１，２４ａ，２４ｂの開度と、各ルーバ１１１，１２１，１３１，１４１の駆動位置とを制御して、車室内が設定温度になるよう風量、温度、風向を調節した空調空気を車室内に送風する。また、車両用空調装置ＡＣは、新たに乗車した乗員が快適と感じることができるように、風量、温度、風向を調節した空調空気を車室内に送風する。以下、詳述する。
【００１７】
−−−空調制御について−−−
車両用空調装置ＡＣは、ＩＲカメラ３１で撮像した熱画像のデータに基づいて、新たに乗車した乗員の有無を検出するとともに、乗員の表面温度を測定して、乗員が熱的に快適であると感じる熱的定常状態であるか否かを判定することで、空調制御の制御内容を決定する。ＩＲカメラ３１は、撮像対象物からの赤外線を捉えることができるカメラであり、図１，４に示すように、車室内を撮像するようにインストルメントパネル２００の左右方向略中央の上部に車両Ｖの後方に向けて設置され、図４，５に示すように、運転席側の乗員４０および助手席側の乗員の上半身を含む車室内部の熱画像を撮像可能である。
【００１８】
オートエアコンアンプ３０では、ＩＲカメラ３１で撮像した図５（ａ）に示すような熱画像のデータに基づいて、図５（ｂ）に示すような運転席側の領域および助手席側の領域について画像処理をすることで、各座席の乗員の有無を検出する。なお、助手席側の空調制御は運転席側の空調制御と同じであるので、以下の説明では、運転席側の空調制御について説明し、助手席側の空調制御についての説明を省略する。イグニッションスイッチがＯＮされて、車両用空調装置ＡＣの電源がＯＮされると、オートエアコンアンプ３０は、ＩＲカメラ３１の設置位置と、ＩＲカメラ３１の撮像範囲とから、撮像された熱画像における乗員の運転席着座位置を特定し、その着座位置の温度分布から運転席の乗員の有無を検出する。
【００１９】
運転席または助手席の乗員の着座姿勢が変化すると、熱画像のデータにおける運転席着座位置の温度分布が変化するため、運転席の乗員の有無が変化したものとして検出されてしまう。そこで、ドアスイッチ３６ａからのドアの開閉信号が入力されたか否か、および、乗員の有無を所定時間以上継続して検出したか否かを加味することで、乗員の有無の検出結果の変化が着座姿勢の変化に起因する一時的なものであるか、または、乗員の乗降によるものであるかを判断して、運転席に乗員が着座しているか否かを判断する。
【００２０】
すなわち、熱画像のデータに基づく乗員の有無の検出結果が変化したときに、ドアスイッチ３６ａからドアの開閉信号が入力されていれば、運転席乗員４０の乗降があり、運転席乗員４０の有無に変化があったものと判断する。また、熱画像のデータに基づく乗員の有無の検出結果が変化したときに、ドアスイッチ３６ａからドアの開閉信号が入力されていなくても、同じ検出結果を所定時間ｔ１（たとえば１０秒）以上継続して検出した場合には、乗員の有無に変化があったものと判断する。熱画像のデータに基づく乗員の有無の検出結果が変化したときに、ドアスイッチ３６ａからのドアの開閉信号が入力されなかった場合であって、所定時間ｔ１の経過前、または、同じ検出結果が所定時間ｔ１以上継続して検出できなかった場合には、乗員の有無に変化がないものと判断する。すなわち、所定時間ｔ１は、乗員の有無の誤検出によって乗員の有無の判断を誤ることがないように設けられた、判断を保留する時間（以下、保留時間と呼ぶ）である。
【００２１】
なお、イグニッションスイッチがＯＮされて、車両用空調装置ＡＣの電源がＯＮされたときには、すでに運転席に乗員が着座していることが想定されるため、熱画像の温度分布から乗員の有無を検出する画像処理で最初から運転席の乗員を検出した場合、すなわち、乗員の有無の判断処理の初回の画像処理で運転席の乗員を検出した場合には、運転席に乗員が着座していると判断する。
【００２２】
運転席に乗員が着座していると判断した場合、ＩＲカメラ３１で撮像した熱画像のデータから乗員の顔面温度を検出する。すなわち、オートエアコンアンプ３０は、ＩＲカメラ３１の設置位置と、ＩＲカメラ３１の撮像範囲とから、図５（ｂ）に示すように、撮像された熱画像における運転席乗員４０の頭部４１の存在位置を特定し、その領域内の温度分布から、たとえば領域内の平均温度や最大温度をその領域の代表温度（顔面温度）ＴＦ−ｍｓｒとして検出する。
【００２３】
検出された顔面温度ＴＦ−ｍｓｒは、乗員の目標表面温度ＴＦ−ｔｇｔと比較される。乗員の目標表面温度ＴＦ−ｔｇｔは、空調操作部１の温度設定器３５によって設定された車室内の温度設定値（目標室温）ＴＲ−ｔｇｔに基づいて算出される。たとえば、車室内温度に応じて乗員が快適と感じているときの顔面温度を予めマップとして記憶しておき、温度設定器３５によって設定された目標室温ＴＲ−ｔｇｔに応じて乗員の目標表面温度ＴＦ−ｔｇｔを決定してもよい。
【００２４】
顔面温度ＴＦ−ｍｓｒと、乗員の目標表面温度ＴＦ−ｔｇｔとの差（表面温度差）ΔＴＦの絶対値が所定値Ｔｈ以下であれば、運転席乗員４０は温冷感を感じていない状態、すなわち暑いと感じることがなく、寒いと感じることもない熱的定常状態である。表面温度差ΔＴＦの絶対値が所定値Ｔｈを超えていれば、運転席乗員４０は温冷感を感じている状態、すなわち暑いもしくは寒いと感じている状態である。所定値Ｔｈは、予め定められた値である。
【００２５】
本実施の形態の車両用空調装置ＡＣでは、乗車してきた運転席乗員４０について、表面温度差ΔＴＦの絶対値が所定値Ｔｈを超えていれば、運転席乗員４０が感じている温冷感を速やかに解消できるように、すなわち、表面温度差ΔＴＦの絶対値が小さくなるように（顔面温度ＴＦ−ｍｓｒと乗員の目標表面温度ＴＦ−ｔｇｔとが一致するように）、送風風量を増やして運転席乗員４０に向けて送風する。このときの車両用空調装置ＡＣの制御モードを風量優先モードと呼ぶ。風量優先モードでは、送風風量を増やして運転席乗員４０に向けて送風するため、風量優先モードが長時間継続すると乗員に不快感を与えてしまう。そこで、本実施の形態の車両用空調装置ＡＣでは、風量優先モードで所定時間ｔ２だけ継続して送風した後は、送風風量を下げるとともに空調空気の温度制御を精度よく行って送風する。このときの車両用空調装置ＡＣの制御モードを風温優先モードと呼ぶ。
【００２６】
乗車してきた運転席乗員４０について、表面温度差ΔＴＦの絶対値が所定値Ｔｈ以内であれば、初めから風温優先モードで送風される。また、風量優先モードで送風を開始した場合に、表面温度差ΔＴＦの絶対値が所定値Ｔｈ以内となれば、所定時間ｔ２が経過していなくても、風量優先モードから風温優先モードに切り替える。乗員が着座していないと判断された場合には、従来から行われている公知の車両用の空調制御で車室内に空調空気が送風される。このときの車両用空調装置ＡＣの制御モードを通常モードと呼ぶ。
【００２７】
風量優先モードでは、送風風量が増えるように、上述した（１），（３）式に含まれる係数αａ，βが変更されるとともに、運転席乗員４０に向けて送風されるように、ルーバ１１１，１２１が駆動される。風温優先モードでは、エアミックスドア１６ａの開度ＸＭａの制御を優先して空調空気の温度制御の精度が向上するように、上述した係数αａ，βが変更される。
【００２８】
−−−フローチャート−−−
図６は、車両用空調装置ＡＣで実行される空調運転プログラムの動作を示すフローチャートである。図６に動作を示したプログラムは、オートエアコンアンプ３０で実行される。イグニッションスイッチがＯＮになり、車両用空調装置ＡＣのオートエアコンアンプ３０に電源が供給された状態で空調操作部１の空調スイッチがＯＮとなったとき、図６のプログラムは動作を開始する。ステップＳ１において、ステップＳ２以降の処理で用いられるタイマーやカウンタ、フラグなどを初期化する。なお、本プログラムにおける初回の処理であるか否かを示すフラグFlg_A、および、上述した保留時間の経過を待っているか否かを示すフラグFlg_Bに０がセットされる。ステップＳ２において、ＩＲカメラ３１で撮像した熱画像のデータを読み込んでステップＳ３へ進む。ステップＳ３のサブルーチンにおいて、運転席の乗員の有無を判断してステップＳ４へ進む。なお、ステップＳ３のサブルーチンについては後述する。
【００２９】
ステップＳ４において、ステップＳ３のサブルーチンで運転席に乗員が存在していると判断されたか否かを判断する。ステップＳ４が肯定判断されるとステップＳ１１へ進み、ステップＳ２で読み込んだ熱画像のデータから運転席乗員４０の顔面温度ＴＦ−ｍｓｒを検出してステップＳ１３へ進む。ステップＳ１３において、空調操作部１の温度設定器３５によって設定された車室内の温度設定値である目標室温ＴＲ−ｔｇｔに基づいて乗員の目標表面温度ＴＦ−ｔｇｔを算出してステップＳ１５へ進む。ステップＳ１５において、ステップＳ１１で検出した顔面温度ＴＦ−ｍｓｒと、ステップＳ１３で算出した乗員の目標表面温度ＴＦ−ｔｇｔとの差である表面温度差ΔＴＦを算出してステップＳ１７へ進む。
【００３０】
ステップＳ１７において、ステップＳ１５で算出した表面温度差ΔＴＦの絶対値｜ΔＴＦ｜が予め定められた所定値Ｔｈ以下であるか否かを判断する。ステップＳ１７が肯定判断されるとステップＳ２１へ進み、風温優先モードで制御されるように上述した（１），（３）式に含まれる係数αａ，βを変更してステップＳ２５へ進む。ステップＳ２５において、上述した（１），（３）式に基づいてブロアモータ１２の電圧ＶＦと、エアミックスドア１６ａの開度ＸＭａと、各ドア１８ａ，２１，２４ａの開度と、各ルーバ１１１，１２１の駆動位置を演算し、その結果を出力してステップＳ３５へ進む。ステップＳ３５において、空調操作部１の空調スイッチがＯＦＦされたか否かを判断する。ステップＳ３５が否定判断されるとステップＳ２へ戻る。ステップＳ３５が肯定判断されるとプログラムを終了する。
【００３１】
ステップＳ１７が否定判断されるとステップＳ１９へ進み、後述するステップＳ２３が実行されて風量優先モードによる空調制御が開始されてから所定時間ｔ２だけ経過したか否かを判断する。ステップＳ１９が肯定判断されるとステップＳ２１へ進む。ステップＳ１９が否定判断されるとステップＳ２３へ進み、風量優先モードで制御されるように上述した（１），（３）式に含まれる係数αａ，βを変更してステップＳ２５へ進む。
【００３２】
ステップＳ４が否定判断されるとステップＳ２７へ進み、通常モードで制御されるように上述した（１），（３）式に含まれる係数αａ，βを変更してステップＳ２５へ進む。
【００３３】
−−−ステップＳ３のサブルーチン−−−
図７は、ステップＳ３のサブルーチンで実行されるプログラムの処理を示すフローチャートである。ステップＳ３０１において、ステップＳ２で読み込んだ熱画像のデータに基づいて、撮像された熱画像における乗員の運転席着座位置を特定し、その着座位置の温度分布から運転席の乗員の有無を検出してステップＳ３０３へ進む。ステップＳ３０３において、フラグFlg_Aから車両用空調装置ＡＣの電源がＯＮされた後の最初の処理であるか否かを判断する。
【００３４】
車両用空調装置ＡＣの電源がＯＮされた後の最初の処理である場合（Flg_A＝０）は、ステップＳ３２３へ進み、フラグFlg_Aを１にセットしてステップＳ３２５へ進む。ステップＳ３２５において、ステップＳ３０１で検出した運転席の乗員の有無の検出結果が乗員有りであるか否かを判断する。ステップＳ３２５が肯定判断されるとステップＳ３１５へ進み、運転席に乗員が存在していると判断してステップＳ４へ進む。ステップＳ３２５が否定判断されると、ステップＳ３１７へ進み、運転席には乗員が存在しないと判断してステップＳ４へ進む。
【００３５】
車両用空調装置ＡＣの電源がＯＮされた後の最初の処理でない場合（Flg_A≠０）は、ステップＳ３０５へ進み、ステップＳ３０１で検出した運転席の乗員の有無の検出結果が前回の検出結果から変化したか否かを判断する。ステップＳ３０５が肯定判断されるとステップＳ３０７へ進み、保留時間を計時するタイマーＴｘをリセットした後、スタートしてステップＳ３０８へ進む。ステップＳ３０８において、ステップＳ３０７でスタートしたタイマーＴｘが動作中であることを示すフラグ、すなわち、保留時間の経過を待っているか否かを示すフラグFlg_Bに１をセットしてステップＳ３０９へ進む。ステップＳ３０９において、ドアスイッチ３６ａからドアの開閉信号が入力されたか否かを判断する。
【００３６】
ステップＳ３０９が否定判断されるとステップＳ３１１へ進み、タイマーＴｘによる計測時間が所定時間ｔ１以上であるか否かを判断する。ステップＳ３１１が否定判断されるとステップＳ３１３へ進み、前回ステップＳ３のサブルーチンが実行されたときに乗員が着座（存在）していると判断したか否かを判断する。ステップＳ３１３が肯定判断されると、ステップＳ３１５へ進み、運転席に乗員が存在していると判断してステップＳ４へ進む。ステップＳ３１３が否定判断されると、ステップＳ３１７へ進み、運転席には乗員が存在しないと判断してステップＳ４へ進む。
【００３７】
ステップＳ３０５が否定判断されるとステップＳ３１９へ進み、保留時間の経過を待っているか否かを示すフラグFlg_Bに０がセットされているか否かを判断する。ステップＳ３１９が肯定判断されるとステップＳ３２５へ進む。ステップＳ３１９が否定判断されるとステップＳ３０９へ進む。
【００３８】
ステップＳ３０９またはステップＳ３１１が肯定判断されるとステップＳ３２１へ進み、タイマーＴｘを停止してステップＳ３２２へ進む。ステップＳ３２２において、保留時間の経過を待っているか否かを示すフラグFlg_Bに０をセットしてステップＳ３２５へ進む。
【００３９】
このように構成される車両用空調装置ＡＣの動作をまとめると、次のようになる。イグニッションスイッチがＯＮされて空調制御を開始すると、ＩＲカメラ３１で撮像した熱画像のデータを読み込んで（ステップＳ２）、運転席乗員の有無を判断する（ステップＳ３）。運転席に乗員が着座していると判断されると（ステップＳ４肯定判断）、ＩＲカメラ３１で撮像した熱画像のデータから運転席乗員４０の顔面温度ＴＦ−ｍｓｒを検出し（ステップＳ１１）、乗員の目標表面温度ＴＦ−ｔｇｔとの差である表面温度差ΔＴＦを算出する（ステップＳ１３，Ｓ１５）。
【００４０】
表面温度差ΔＴＦの絶対値｜ΔＴＦ｜が予め定められた所定値Ｔｈ以下である場合（ステップＳ１７肯定判断）、運転席乗員４０が温冷感を感じていないものと判断して、空調制御を風温優先モードで制御するように設定して（ステップＳ２１）、空調空気を車室内に送風する（ステップＳ２５）。
【００４１】
表面温度差ΔＴＦの絶対値｜ΔＴＦ｜が予め定められた所定値Ｔｈを超えている場合（ステップＳ１７否定判断）、運転席乗員４０が温冷感を感じているものと判断して、空調制御を風量優先モードで制御するように設定して（ステップＳ２３）、空調空気を車室内に送風する（ステップＳ２５）。ただし、表面温度差ΔＴＦの絶対値｜ΔＴＦ｜が予め定められた所定値Ｔｈを超えている場合（ステップＳ１７否定判断）であっても、長時間運転席乗員４０の顔に向けて送風すると、運転席乗員４０が煩わしく感じてしまうため、所定時間ｔ２が経過した後（ステップＳ１９肯定判断）は、空調制御を風温優先モードで制御するように設定する（ステップＳ２１）。
【００４２】
一方、運転席に乗員が着座していないと判断されると（ステップＳ４否定判断）、従来から行われている公知の車両用の空調制御で車室内に空調空気が送風される（ステップＳ２７，Ｓ２５）。
【００４３】
また、運転席乗員の有無は、次のようにして判断される。ＩＲカメラ３１で撮像した熱画像のデータに基づいて、撮像された熱画像における乗員の運転席着座位置を特定し、その着座位置の温度分布から運転席の乗員の有無を検出する（ステップＳ３０１）。このとき、車両用空調装置ＡＣの電源がＯＮされた後の最初の処理であれば（ステップＳ３０３肯定判断）、すでに運転席に乗員が着座していることが想定されるため、熱画像の温度分布から乗員の有無を検出する画像処理で運転席の乗員を検出した場合（ステップＳ３２５肯定判断）には、乗員の姿勢変化による一時的な誤検出ではなく、運転席に乗員が着座しているものと判断する（ステップＳ３１５）。
【００４４】
車両用空調装置ＡＣの電源がＯＮされた後の最初の処理ではなく（ステップＳ３０３否定判断）、今回検出した乗員の有無の結果が前回の検出結果から変化している場合（ステップＳ３０５肯定判断）、ドアの開閉があれば（ステップＳ３０９肯定判断）、乗員の姿勢変化による一時的な誤検出ではなく、乗員が乗降したものと考えられるので、今回の乗員の有無の検出結果のとおり乗員の有無を判断する（ステップＳ３２５，Ｓ３１５，Ｓ３１７）。
【００４５】
車両用空調装置ＡＣの電源がＯＮされた後の最初の処理ではなく（ステップＳ３０３否定判断）、今回検出した乗員の有無の結果が前回の検出結果から変化している場合（ステップＳ３０５肯定判断）であっても、ドアの開閉がなければ（ステップＳ３０９否定判断）、乗員の姿勢変化による一時的な誤検出の可能性がある。そのため、乗員の有無の変化を検出してから所定時間ｔ１が経過するまでは（ステップＳ３１１否定判断）、前回の乗員の有無の判断結果をそのまま保持する（ステップＳ３１３，Ｓ３１５，Ｓ３１７）。
【００４６】
乗員の有無の変化を検出してから所定時間ｔ１が経過しても、再び元の検出結果に戻ることなく（ステップＳ３０５否定判断）、同じ検出結果が得られるのであれば（ステップＳ３１９否定判断、ステップＳ３０９否定判断、ステップＳ３１１肯定判断）、乗員の姿勢変化による一時的な誤検出ではないと判断できるので、今回の乗員の有無の検出結果のとおり乗員の有無を判断する（ステップＳ３２５，Ｓ３１５，Ｓ３１７）。
【００４７】
上述した第１の実施の形態の車両用空調装置ＡＣでは、次の作用効果を奏する。
（１）  ＩＲカメラ３１の熱画像データに基づいて、乗員が乗車したことを検出すると、乗員に向けて送風量を増やして送風する風量優先モードで空調制御を行い、所定時間ｔ２の経過後は、空調空気の温度制御を精度よく行う風温優先モードで空調制御を行うように構成した。これにより、エンジンの始動時期にかかわらず、乗車してきた乗員の温冷感を低減して、乗員に快適感を与えることができる。また、乗車してきた乗員に向けて長時間送風することを防止しているので、乗員が自分に向けて送風される空調空気を煩わしく感じてしまうことを防止でき、快適性が向上する。
【００４８】
（２）  乗員の顔面温度ＴＦ−ｍｓｒを検出するとともに、空調操作部１の温度設定器３５によって設定された車室内の温度設定値（目標室温）ＴＲ−ｔｇｔから乗員の目標表面温度ＴＦ−ｔｇｔを算出し、乗員の顔面温度ＴＦ−ｍｓｒと乗員の目標表面温度ＴＦ−ｔｇｔが一致するように、すなわち、表面温度差ΔＴＦの絶対値が小さくなるように、空調制御を行うように構成した。これにより、乗員の感じている温冷感に合わせて適切な空調制御ができるので、快適な車室内環境を提供できる。
【００４９】
（３）  ＩＲカメラ３１の熱画像データに基づいて、空調制御を行うように構成したので、広い範囲の温度検出が可能であり、乗員の有無や乗員の顔面温度ＴＦ−ｍｓｒを一度に検出できる。これにより、乗員の有無や乗員の顔面温度ＴＦ−ｍｓｒを容易に検出でき、検出精度も高いので、空調制御の精度を向上できる。また、非接触で乗員の有無および乗員の顔面温度ＴＦ−ｍｓｒの検出ができるので、これらの検出に際して乗員に何ら違和感を与えることがない。
【００５０】
（４）  乗員の顔面温度ＴＦ−ｍｓｒと、乗員の目標表面温度ＴＦ−ｔｇｔとに基づいて、乗員が温冷感を感じているか否かを判断し、乗員が温冷感を感じていないと判断すると、所定時間ｔ２を経過していなくても、風量優先モードから風温優先モードに切り替えて空調制御を行うように構成した。これにより、乗員が温冷感を感じなくなれば、乗員に向けた空調空気の送風をやめることができるので、乗員に不快感を与えることがない。
【００５１】
（５）  乗員の顔面温度ＴＦ−ｍｓｒと、乗員の目標表面温度ＴＦ−ｔｇｔとの差である表面温度差ΔＴＦの絶対値が所定値Ｔｈ以下であれば、乗員は温冷感を感じていない状態であると判断するように構成した。これにより、乗員の温冷感に合ったタイミングで空調制御のモードを切り替えられるので、乗員の温冷感に合った適切な空調空気の送風ができ、快適感を向上できる。
【００５２】
（６）  熱画像のデータに基づく乗員の有無の検出結果が変化したときに、ドアスイッチ３６ａ，３６ｂからのドアの開閉信号が入力されなかった場合、所定時間ｔ１の経過前は乗員の有無に変化がないものとして空調制御を行うように構成した。これにより、着座姿勢の変化に起因する一時的な検出結果の変化を排除できるので、乗員の有無を正確に判断できる。これにより、間違った空調制御のモードへの切り替えを防止できるので、乗員に不快感を与えることがない。
【００５３】
（７）  空調制御のモード切り替えも含め、運転席側と助手席側とで独立して空調制御ができるように構成した。これにより、運転席の乗員だけでなく他の座席の乗員が感じている温冷感を低減することができるので、他の座席の乗員に対しても快適な車室内環境を提供できる。また、一方の座席の空調制御のモードが切り替えられても、他の座席の空調制御には影響がないため、温冷感を感じている一方の乗員に対しては、温冷感を適切に低減できるとともに、温冷感を感じていない他方の乗員に対しては、一方の乗員の乗車によって、空調空気の送風方向が変更されてしまうということがないので、他方の乗員に不快感を与えることがない。
【００５４】
−−−第２の実施の形態−−−
図８〜１０を参照して、本発明による車両用空調装置の第２の実施の形態を説明する。以下の説明では、第１の実施の形態と同一の構成要素には同一の符号を付して相違点を主に説明する。図８は、車両用空調装置ＡＣのシステム構成を示す図である。本実施の形態の車両用空調装置ＡＣでは、第１の実施の形態と異なり、日射センサ３２、外気温センサ３３、内気温センサ３４ａ，３４ｂおよびドアスイッチ３６ａ，３６ｂが設けられていない。その他の構成は、第１の実施の形態と同じである。図９（ａ）は、ＩＲカメラ３１が撮像した熱画像を示す図であり、図９（ｂ）は、図９（ａ）の画像の運転席側の領域を示す図である。ＩＲカメラ３１が撮像した熱画像のデータから、運転席乗員４０の温度だけではなく、熱画像として撮像された各部分（領域４２〜４５）の温度も検出できる。
【００５５】
図９（ｂ）に示す領域４２は、運転席側のドアに相当する部分であるが、この領域４２は、運転席側のドアの開閉によって検出される温度が短時間で変化する。したがって、領域４２の温度が短時間に変化したことを検出することで、運転席側のドアの開閉を検出できる。これにより、第１の実施の形態で記載したドアスイッチ３６ａを用いなくても、領域４２の温度が短時間に変化したことを検出すれば、ドアの開閉を検出できる。
【００５６】
図９（ｂ）に示す領域４５は、車両Ｖの天井に相当する部分であり、この領域４５の温度は車両Ｖの天井の温度Ｔroofである。領域４５の温度を検出することで、エアミックスドア１６ａ，１６ｂの開度ＸＭａ，ＸＭｂおよび、ブロアモータ１２の電圧ＶＦの算出に際して、車室内温度Ｔａin，Ｔｂinの代わりに天井の温度Ｔroofを用いることができる。すなわち、ＩＲカメラ３１が撮像した熱画像のデータから領域４５の温度を検出することで、第１の実施の形態で記載した内気温センサ３４ａ，３４ｂの配設を省略できる。同様に、ＩＲカメラ３１が撮像した熱画像を画像処理することで、空調制御に必要なパラメータの値を得ることができるので、第１の実施の形態で記載した日射センサ３２、外気温センサ３３についても配設を省略できる。
【００５７】
−−−フローチャート−−−
車両用空調装置ＡＣで実行される空調運転プログラムの動作は、メインルーチンに関しては、図６に示した第１の実施の形態の車両用空調装置ＡＣで実行される空調運転プログラムの動作と同様であるので説明を省略する。図１０は、ステップＳ３のサブルーチンで実行されるプログラムの処理を示すフローチャートである。ステップＳ３０１からステップＳ３０８までは、第１の実施の形態と同様であるので説明を省略する。
【００５８】
ステップＳ３０８が実行されるとステップＳ４０９へ進み、ステップＳ２で読み込んだ熱画像のデータに基づいて、図９（ｂ）に示す領域４２の検出温度が短時間に変化したか否かを判断する。ステップＳ４０９が否定判断されるとステップＳ３１１へ進む。ステップＳ４０９が肯定判断されるとステップＳ３２１へ進む。ステップＳ３１１およびステップＳ３２１以降の動作については、第１の実施の形態と同様であるので説明を省略する。
【００５９】
このように構成される車両用空調装置ＡＣでは、ＩＲカメラ３１が撮像した熱画像のデータに基づいて、ドアの開閉や、天井の温度Ｔroofなど空調制御に必要なパラメータの値を検出することで、第１の実施の形態の車両用空調装置ＡＣと同様に空調制御ができる。
【００６０】
上述した第２の実施の形態の車両用空調装置ＡＣでは、第１の実施の形態の作用効果に加えて、次の作用効果を奏する。
（１）  ＩＲカメラ３１が撮像した熱画像のデータに基づいて、ドアの開閉や、天井の温度Ｔroofなど空調制御に必要なパラメータの値を検出するように構成した。これにより、ドアの開閉を検出するドアセンサや、空調制御に必要な日射センサ、外気温センサ、内気温センサを省略できるので、車両用空調装置ＡＣの製造コストを削減できる。
【００６１】
−−−変形例−−−
（１）  上述の説明では、風量優先モードの継続時間である所定時間ｔ２は不変であったが、本発明はこれに限定されず、所定時間ｔ２を可変としてもよい。たとえば、表面温度差ΔＴＦの絶対値が大きいほど、所定時間ｔ２が長くなるようにオートエアコンアンプ３０でその値を変更するようにしてもよい。
【００６２】
（２）  上述の説明では、風量優先モードで送風開始後、表面温度差ΔＴＦの絶対値が所定値Ｔｈ以下となれば風温優先モードに切り替えるように構成しているが、本発明はこれに限定されない。たとえば、風量優先モードで送風開始後、表面温度差ΔＴＦの変化率が所定値以下となれば風温優先モードに切り替えるようにしてもよい。
【００６３】
（３）  上述の説明では、風量優先モードで送風開始後、所定時間ｔ２が経過すると風温優先モードに切り替えるように構成しているが（図６ステップＳ１９肯定判断）、本発明はこれに限定されない。たとえば、表面温度差ΔＴＦの絶対値が所定値Ｔｈを超えていれば、経過時間に関係なく風量優先モードで送風するようにしてもよい。
【００６４】
（４）  上述の説明では、運転席および助手席に着座する乗員に対して送風される空調制御について説明しているが、本発明はこれに限定されない。たとえば、運転席と助手席との間に後部座席用のリヤベント口を設け、ＩＲカメラ３１で撮像した熱画像のデータに基づいて後部座席の乗員の有無、および、顔面温度ＴＦ−ｍｓｒを検出することで、リヤベント口から後部座席の乗員に対して送風される空調空気について、上述の説明と同様の空調制御が可能である。
【００６５】
（５）  上述の説明では、１台のＩＲカメラ３１をインストルメントパネル２００の左右方向略中央の上部に、運転席側および助手席側の乗員を撮像できるように配設されているが、本発明はこれに限定されない。運転席側に配設したＩＲカメラによって運転席側の乗員を含む熱画像を撮像し、助手席側に配設したＩＲカメラによって助手席側の乗員を含む熱画像を撮像するようにしてもよい。また、運転席側に配設したＩＲカメラによって助手席側の乗員を含む熱画像を撮像し、助手席側に配設したＩＲカメラによって運転席側の乗員を含む熱画像を撮像するようにしてもよい。特に後者の場合には、ＩＲカメラが車室内を斜め後方に向けて配設されるため、撮像対象となる運転席側乗員および助手席側乗員の横にあるドアの開閉検出や、運転席と助手席との間の空間から運転席や助手席の後方の座席に着座した乗員の有無および顔面温度ＴＦ−ｍｓｒを検出する上で有利である。また、運転席および助手席のシートバックの背面にＩＲカメラを配設して、後部座席の乗員の有無および顔面温度ＴＦ−ｍｓｒを検出するようにしてもよい。
【００６６】
（６）  上述の説明では、ＩＲカメラ３１の熱画像のデータに基づいて乗員の有無を検出しているが、本発明はこれに限定されない。乗員が着座しているか否かが検出できればよいので、たとえば、車室内の天井に設けた非接触型の距離計で天井と乗員の体の一部分との距離を検出することで、乗員の有無を検出することもできる。非接触型の距離計には、超音波を利用して距離を検出するものや、光学的に距離を検出するものなどを用いることができる。また、接触型のセンサによって乗員の有無を検出してもよいので、シートに設けた圧力センサなど、着座を直接検出するセンサを用いることもできる。
【００６７】
（７）  上述の説明では、ＩＲカメラ３１の熱画像のデータに基づいて乗員の表面温度を検出しているが、本発明はこれに限定されない。たとえば、乗員の温冷感を反映する乗員の体の一部分の温度が計測できれば接触式のセンサを用いることができる。たとえば、シートやステアリング、ドアの取手部分など、乗員の体の一部が直接または着衣越しに接触する部分に接触式の温度センサを設けるようにしてもよい。
【００６８】
（８）  上述の説明では言及していないが、運転席側と助手席側とで空調制御のモードが異なった場合など、運転席側もしくは助手席側のいずれか一方の送風風量を増やす、もしくは減らすことになった場合、次のように制御することが望ましい。すなわち、送風風量を多く要求する一方の座席側の制御内容に合わせてブロアモータ１２の電圧ＶＦを算出するとともに、他方の座席側の各ドア（ドア１８ａ，２４ａまたはドア１８ｂ，２４ｂ）の開度を閉じ気味に制御することが望ましい。このように制御することで、運転席側および助手席側のそれぞれの空調制御のモードに合わせた適切な送風風量が得られる。
（９）  上述した各実施の形態および変形例は、それぞれ組み合わせてもよい。
【００６９】
以上の実施の形態および変形例において、たとえば、制御手段および目標温度算出手段
はオートエアコンアンプ３０に、温度設定手段は温度設定器３５に、熱画像撮像手段はＩＲカメラ３１にそれぞれ対応する。乗員検出手段、乗員表面温度測定手段、および乗員状態判定手段は、ＩＲカメラ３１およびオートエアコンアンプ３０によって実現される。ドア開閉検出手段はドアスイッチ３６ａ，３６ｂ、または、ＩＲカメラ３１およびオートエアコンアンプ３０によって実現される。さらに、本発明の特徴的な機能を損なわない限り、本発明は、上述した実施の形態における機器構成に何ら限定されない。
【図面の簡単な説明】
【００７０】
【図１】本実施の形態の車両用空調装置を搭載した右ハンドル車を車両斜め後方から見た斜視図である。
【図２】空調ユニット１００の全体構成を示す図である。
【図３】車両用空調装置ＡＣのシステム構成を示す図である。
【図４】運転席に乗員が着座した状態を車両左側から見た図である。
【図５】ＩＲカメラ３１が撮像した熱画像を示す図であり、（ａ）は撮像した熱画像の全体を示し、（ｂ）は（ａ）の熱画像のうち運転席側の領域を示す図である。
【図６】車両用空調装置ＡＣで実行される空調運転プログラムの動作を示すフローチャートである。
【図７】ステップＳ３のサブルーチンで実行されるプログラムの処理を示すフローチャートである。
【図８】第２の実施の形態の車両用空調装置ＡＣのシステム構成を示す図である。
【図９】ＩＲカメラ３１が撮像した熱画像を示す図であり、（ａ）は撮像した熱画像の全体を示し、（ｂ）は（ａ）の熱画像のうち運転席側の領域を示す図である。
【図１０】ステップＳ３のサブルーチンで実行されるプログラムの処理を示すフローチャートである。
【符号の説明】
【００７１】
１０  ケース                                  １１  ファン
１２  ブロアモータ                            １６ａ，１６ｂ  エアミックスドア
１８ａ，１８ｂ  ベントドア                    ２１  デフドア
２４ａ，２４ｂ  フットドア                    ３０  オートエアコンアンプ
３１  ＩＲカメラ                              ３２  日射センサ
３３  外気温センサ                            ３４ａ，３４ｂ  室温センサ
３５  温度設定器                              ３６ａ，３６ｂ  ドアスイッチ
４０  運転席乗員                              ４１  頭部
４２〜４５  領域                              １００  空調ユニット
１１０  運転席側サイドベント口
１１１，１２１，１３１，１４１  ルーバ        １２０  運転席側センターベント口
１３０  助手席側センターベント口              １４０  助手席側サイドベント口
【図１】
2006137364.tif 000003
【図２】
2006137364.tif 000004
【図３】
2006137364.tif 000005
【図４】
2006137364.tif 000006
【図５】
2006137364.tif 000007
【図６】
2006137364.tif 000008
【図７】
2006137364.tif 000009
【図８】
2006137364.tif 000010
【図９】
2006137364.tif 000011
【図１０】
2006137364.tif 000012